(57)【要約】【課題】ひらがな、カタカナ等日本語入力が簡単に出来、録音、辞書辞典機能、長期間使用可能なシステムで、着衣収納、携行性出来る情報機器の主入力装置または補助入力装置を購入、通信コストの低減方法を含めて提供する。【解決手段】キー多角形配列、同時押し方式のミニキーボードと補助表示部（３６）、音声（４０）、辞書メモ等記憶装置（３３）、演算制御装置（３４）、充電装置（３９）、通信装置（３５）を組み合わせた入力装置（３２）を作り、インターネット（６２）を利用して宣伝広告情報を更新記憶し、有償（６７）にて広告宣伝を行い収入の一部（６８）を利用者（６１）に還元することにより、購入費、通信コストの負担を下げる【選択図】    図６
2005235143.tif 000002
【特許請求の範囲】
【請求項１】
情報処理装置の入力装置であって各キーに対応して設けられ、対応するキーが押下された乃至指が近接、接触したときそのことを検出する押下、接触検出センサーと
該キー配列の中の単独乃至複数のキーが同時または相当の短時間内に一本乃至複数本の指で選択操作し、その単独乃至複数のキーの組み合わせをコード化し、操作し易いように複数キーの配置を多角形配列群にし演算処理装置により物理的に配置されたキー数より多くのキーコードを生成する方法。
【請求項２】
請求項１の方法を利用した入力装置に
表示装置と
画像、音声、辞書、メモ、特殊情報等の情報を記憶する記憶装置と
情報処理装置への充電装置と
情報処理装置への固定装置、脱着装置と
これらの装置を演算制御する演算処理装置と
を備えた入力装置を通信装置を介して情報処理装置の入力装置部分の補助的入力装置もしくは主入力装置とする手段。
【請求項３】
請求項１，２の入力装置と情報処理装置とインターネットを利用して
宣伝広告等の情報を有償で情報処理装置に一定期間表示、出音し、宣伝広告収入の一部を該入力装置利用者に還元する方法及び請求項１，２の入力装置と情報処理装置とインターネットを利用して有料で情報提供をする事業。
【発明の詳細な説明】
【技術分野】
【０００１】  本発明は、上記情報装置の入力装置、特にソフトウエアにより情報処理し、情報処理さ  れた情報を表示するデイスプレイを有する情報処理装置用の入力装置に関する。
【背景技術】
【００００２】
【特許文献１】特開  平６−２１４６９９
【特許文献２】特願  平１１−１９４８７８
の携帯端末、携帯電話、ネット家電、ネットＴＶ、ネット電話、電子辞書、電子手帳、空調機等（以下情報処理装置等と称す）における入力装置（通常はキーボード、リモコン等と呼ばれている）は、現状では電源ＯＮ−ＯＦＦ、温度調整、予約操作、ローマ漢字変換入力、通話等の比較的単純または欧米型タイプライター的操作機能が主体である。しかしながら近年のＩＴ技術の進歩は家電、ＴＶ等にも直接インターネットが接続出来るようになっている。
そのためパソコンでしか操作できなかった  ひらがな、カタカナ等の日本語、英数字、特殊記号、アルファベット全ての入力操作が求められている。
その必然性に反し、近年情報装置はますます小型、軽量化が進みそれに伴い入力装置も小型化、使い難くなり  ますますその傾向は強くなっている。【００００３】  例えば携帯電話のキーボードは小型化を図るためにメインの入力部分はキー数を少なくしなければならなく、携帯電話では約１２個程度である。
そのため一つのキーに数種の文字を割り当て、一個のキーにかな文字の“あ、い、う、え、お”を受け持っており、ひらがな文字の“お”を得るためには１番目のキーを５回鍵打するようになっている。【００００４】  同様に電子手帳やモバイルＰＣ等も小型化が進み、小型装置の中に電話機の機能だけで、辞書、メモ帳、アルバム、スケジュール表等多数の機能が混在しているのが普通である。ビデオレコーダー、ラジカセコンポ等の民生娯楽機器だけでなく  空調機、エレベーター等専門機械のリモコンなども予約、ラベリング、メモ書きこみ、編集等機能は増えても日本語入力が複雑で殆ど活用されていないのが現状である。
近い将来普及が予想されるネット電話や双方向性ネットＴＶ、ネット家電なども同様に通信機能や情報検索の機能が充実し、ますます文字入力特に日本語特有のひらがな、カタカナの小型入力装置が必要になる。
一方携帯電話の契約者は年間日本だけでも６０００万台、インターネット利用者含めると日本の総人口が毎日インータネットや携帯電話の画面を見、音声を聞いているのである。最近では携帯電話にＴＶチューナーを組み込んだ機種
も出現していてますます入力機能の充実が求められている。
【発明の開示】
【発明が解決しようとする課題】
【００００５】  従来の情報処理装置等は熟年層、初心者が例えば携帯電話であれば、電話機能以外の能力を使う場合日本語特有のひらがな、カタカナの５０余の文字入力に対応した入力装置が提供されておらずこれらの装置の豊富な機能や豊富なコンテンツは殆ど利用されていない。
現状の情報処理装置等は高速通信機能や、鮮明な表示機能をもっているので、ひらがな、カタカナ等日本語の簡便な入力装置を補助的に併設して、辞書機能、メモ帳機能などを強化することによりその機能やコンテンツを十分に活用出来る物も多い。
一方で、既存の入力装置はそれなりに進化確立されていて、例えば携帯電話のキー配置は慣習的に卓上電話の配置と同じにすることで誰にでも電話機として使いやすい仕様になっている。
情報処理装置等の小型化に伴いキーボードの小型版が出てきてはいるが従来のローマ字一かな変換方式等の規格を踏襲し、１キー１コードであり、小型情報処理装置等本体より大きく、携行性が低い。
これらの諸問題を解決するには、小型（着衣のポケット収納可能名刺サイズ）で、机上ＰＣ等のキーボードと同じ機能をもち、本体の機能はそのまま利用できる、補助キーボードが必要である。
また通信機器の価格や通信料金は近年通信内容の高度化、肥大化により利用者の通信コスト負担はますます増大している。
携帯電話画面、音声、インタ−ネット画面を見る回数はＴＶを見る回数より圧倒的に多く宣伝媒体としては有効な方法であるにもかかわらず現行では、通信事業者側に主導権が在り、十分には利用されていない。
一方情報の複写、盗聴技術も平行して進化しており、音楽、映像、その他情報が著作権を無視して利用されている。
著作権を有する情報は当然対価が支払われるべきであるが、対価の徴収方法が確立されていないのが実情である。
携帯電話などを通して有料の情報提供サービスを受けるシステムは現在でもあるが例えば辞書、地名検索のような文言検索の場合  文言入力が難しくて一部のユーザーにしか利用されていない。
【課題を解決するための手段】
【００００６】  請求項１の情報処理装置等の入力装置は、通称キーボードのことである。
本発明に利用するキーボードは一本の指で近傍複数のキーを同時に押下出来る程度にキーのピッチを小さく配置する。
またキー配列群中やあいているスペースに補助キーを配置する。
（図−ｌ）、（図−２）は本発明のキー配列群，配置パターン，同時押しの原理およびフローチートを示すものである。
図では日本語のひらがな用に５角形５個のキー群で構成されている。
“あいうえお”はそれぞれキー単独押し、“かきくけこ”の  “か”  は  “あ”と  “いの２個押し、その外に３個押し、５個押しコードも採用可能であるが、キーピッチが狭く押しにくい場合は補助キーを併用することで正確な押下を計る。
補助キーを群の中心に設置し、補助キーと５個の内のどれかの３個、補助キーとどれかの４個以上という押し方で３個以上の同時押しを確実、容易に実現すことが出来る。
この方法はデジタル的なＯＮ−ＯＦＦキーだけではなくタッチパッド等面的な位置をアナログ的に検出するポインテイングデバイス等を仕切って同じキー配置を作り同じ理論で狭いデバイスで多くのキーコードを生成することが出来る。
ポインテイングデバイスを利用した入力装置は古くはタッチパネル、最近ではタブレットと呼ばれる製品があるが、これを小さく区切れば同じようにコード数は多く作り出すことが出来るが、小さくなりすぎてキーを特定するのが難しくなる。
本発明の方法は  近傍のキーエリアを同時に押すという点で所定のキーを簡単に正確に特定することが出来る。
当然この入力装置はメインの入力装置としても利用できる。【００００７】  請求項２の入力装置は請求項１の方法を利用したキーボードに記憶装置、表示装置、演算制御表示装置、通信機能、充電機能を設け情報処理装置本体と同等若しくは本体に不備な処理を本発明キーボード側で出来る様にし、有線、無線、外付け脱着、本体固定折り畳み収納等の機能、機構を介して補助キーボードとする手段である。
この方法によれば通常の単純操作、表音、表示は本体情報処理装置を使用するが、煩雑な文章、特殊な文字や記号、特殊情報の入力、出力加工編集などの操作時には本発明キーボードを利用する。
また本体情報処理装置が保有していないか保持しきれない情報、機能を本発明キーボードに記憶、装備する、例えば語学辞書、百科辞書、個人情報、写真、録音記録、メモ、充電、音楽表音等である。
外付け脱着方法を採用することにより、携帯電話だけではなく、ＴＶリモコン  ラジカセ、ビデオレコーダー、ラジカセなどほかのメディアや家電の入力装置に転用することが出来る。
高度な表示機能を備えない本発明キーボードは通信機能を通して情報処理装置本体の高度な表示機能を併用し機能を補完し合うことにより、より高度な辞書，辞典、メモ、鑑賞等の機能を充実することが出来る。
（図−３）は携帯電話の場合のブロック図である。
通常は電話番号だけを入力するので本体情報処理装置の入力装置で行う。
電子メール送信時等、煩雑な長文の入力例えばひらがな入力を行うときは本発明のキーボードで操作入力する。
本発明は小型携帯端末の携帯性、小型性を失わずに煩雑な日本語入力などの操作を簡便に行うことが出来る。
（図−３）３１は情報処理装置等  ３２は本発明装置  ３３は辞書、メモ帳などの記憶装置部、３４は演算処理装置、３５は通信装置、３６は表示部、３９は電源及び充電装置３７は請求項１の発明装置である。
携帯電話等はますます携帯使用することが多く、予備電源は必需品であるので、コネクタを本発明キーボードと共用し、両者一体化する。
（図−４）は請求項２の補助入力装置たる本発明と情報処理装置本体との接続関係を示した図である。
また該キーボードは名刺大のサイズであり、（図−５）のごとく折り畳み式一体化、カセット式脱着接続し小型情報処理装置の持っている携帯性を保持する。
（図−５）は請求項２の情報処理装置本体固定一体型、分離型、折り畳み方式、カセット式の具体例を示す図である。【００００８】  請求項３の事業は該キーボードに広告宣伝情報を随時更新記憶し利用者がキーボード乃至情報装置本体を利用する毎にその表示装置、音声装置に広告宣伝情報を表示、出音（以下表示）するシステムとし、広告宣伝収入の一部を該システム利用者に該広告宣伝見聞頻度に応じて還元する
乃至  本発明キーボード個別がアクセスキー番号等を持ち特定の情報をもつサーバーにアクセスする権利を有料で提供する手段により運営する事業。
本発明の事業の利用希望者は（以下発明利用者）は本発明キーボードの固有のアクセスキー番号、ＩＤ番号、携帯電話番号等（以下ＩＤ等）を本発明事業運営会社もしくは通信事業者（以下サーバー）に登録乃至抹消する。
本発明キーボードには予め宣伝広告情報を広告者の有償で記憶しておき、購入者は宣伝広告情報表示を一定期間見聞を条件として購入価格割引を受ける選択肢を用意する。
登録期間中はサーバーより広告宣伝情報はインターネット等を通じて管理され、配信、更新、記憶される。
広告宣伝を受けるだけでなく音楽、映像、技術、辞書情報等有料情報を持つサーバーへのアクセスを一定期間接続閲覧  出来ることとする。
以下携帯電話を例にすると電源ＯＮする毎（スリープモード解除毎、待ち受け画面に、電子メールであれば電子メール入力枠開示毎に、電話機であれば受話器を取り上げ時等）要所に広告宣伝情報を一定時間、画面の一部または全部に表示する。
また予め了解を得ている通信相手には該広告宣伝情報を付帯伝送する。
宣伝広告情報が表示された回数、時間を定量的に本発明キーボード乃至情報処理装置本体乃至サーバーにカウント、積算する。（図−７）
この積算量を元に購入者は通信料金の一部を宣伝広告料から還元乃至割引される。
この時相手方が発明キーボード利用者でなくても、ＩＤ等、本発明利用を登録することにより通信料金の一部を還元乃至割引される。（図−６）
本発明事業は本発明キーボードを利用しない場合、情報処理装置に上記機能を持たせることにより実行する。
【発明の効果】
【００００９】  片手で入力操作が出来るので図面や図書類をパソコン等の前において入力操作が出来携帯電話等も狭い電車内等で簡単に入力が出来る。
携帯電話などでは、少ない鍵打数で文字記号入力が出来、初心者、非習熟者への用途が拡大する。
キーボード部分が手のひらサイズになるとがパソコン等情報装置のデザイン、機構設計、システム設計が大きく変わり、従来にない良質の情報装置が出来る。
今後普及が予想される双方向電話機、双方向ネットＴＶやネット家電等の小型化が必要でしかも複雑な機能が要求される入力装置に利用でき、携帯電話、ネット電話、ネットＴＶ等文字通信、検索作業において格段に入力し易くなり、特にインターネット等のネット文化から阻害されていた初心者、熟年者のネット文化への参入を促す。
本発明に広告宣伝を有料で導入することにより増大する通信費用の削減と情報過多社会での確実、安価な宣伝広告手段となる。
通信事業者以外の事業者が小型携帯端末、携帯電話等で宣伝広告事業を行うことが出来る。
【発明を実施するための最良の形態】
【０００１０】  現在試作機を一台製作し、上記発明装置、手段の検証を行っている。
片手で操作できるキーボードの大きさ、ボタン電池の寿命テスト、キーの配置間隔など適正な数値を得て、それをもとに、実用装置を製作しハードウエア、ソフトウエアの改良を行っている。
請求項３について試験的に宣伝広告を、待ち受け画面、メール画面冒頭に表示し表示が標準操作に以下なり影響するか等のテストを行っている。
【図面の簡単な説明】
【０００１１】
【図１】請求項１のキー多角形配列群および同時押し選択例を示した図面である。
【図２】請求項１のコード生成を示すフローチャートである。
【図３】請求項２の補助機能を示したブロック図である。
【図４】請求項２の情報処理装置等と本発明との通信接続方法を示した図である。
【図５】請求項２の情報処理装置等と本発明との各種脱着接続方法を示した図である。
【図６】請求項３の事業体と利用者の関係を示した図である。
【図７】請求項３の本発明事業のフローチャートである。
【符号の説明】
【０００１２】１．．．メインキー                  ２．．．補助キー
３．．．メインキーブロック          ４．．．３個同時押し
５．．．２個同時押し                ６．．．５個同時押し
３１．．．小型情報処理装置等        ３２．．．本発明装置
３３．．．記憶装置                  ３４．．．演算制御装置
３５．．．通信装置                  ３６．．．表示装置
３７．．．キー配列群                ３８．．．通信ライン
３８．．．電池、充電器              ４０．．．録音装置
４１．．．小型情報処理装置等        ４２．．．本発明装置
４３．．．表示装置                  ４４．．．多角形キー配列群
４５．．．有線無線通信装置
５１．．．小型情報処理装置等        ５２．．．本体固定折り畳み式接続方法
５３、５５．．．分離型カセット式固定接続法
５６……半固定半分離接続、受け金具  ５７……分離型キーボード部分
５８……電池、充電装置
６１…発明利用者                    ６２…インターネット
６３……発明非利用者                ６４……サーバー
６５……宣伝広告者                  ６６……宣伝広告情報
６７……宣伝広告料                  ６８……還元料
【図１】
2005235143.tif 000003
【図２】
2005235143.tif 000004
【図３】
2005235143.tif 000005
【図４】
2005235143.tif 000006
【図５】
2005235143.tif 000007
【図６】
2005235143.tif 000008
【図７】
2005235143.tif 000009